(57)【要約】【課題】容器体２の口頸部６に嵌合させるとともに、フランジ状の頂板11上よりガイド筒12を起立した装着キャップ７と、ガイド筒12内に突設したステム13の上端に嵌着するとともに、ガイド筒12外周に周壁14b を押し下げ可能に垂下させた下端開口の有頂筒状カバー14を有する噴出ヘッド９とを備え、該ヘッドの上下動により容器体内の液を吸い上げて噴出口８より噴出する如く構成した液体噴出器であって、外れた噴出ヘッドを特定の方向に再嵌合する際に極めて容易に行うことができる液体噴出器を提案する。【解決手段】上記ガイド筒12外周面と、上記噴出ヘッド周壁14b 内周面とを、噴出ヘッド周壁14b がガイド筒12に対して一方向での嵌合が可能な如くそれぞれ横断面相似形状に形成した。【選択図】図２
2005053517.tif 000002
【特許請求の範囲】
【請求項１】
容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒と、上記噴出ヘッド周壁14b とを、上記噴出ヘッド周壁14b が上記ガイド筒12に対して一方向での嵌合が可能な如くそれぞれ横断面相似形状に形成したことを特徴とする液体噴出器。
【請求項２】
上記ガイド筒が横断面卵型をなすとともに、上記噴出ヘッド周壁14b が上記ガイド筒と相似形状の横断面卵型をなす請求項１記載の液体噴出器。
【請求項３】
上記ポンプ３下端を構成する吸い上げ用のパイプ22を弯曲させてその先端を容器体内下端コーナーに開口させるとともに、上記噴出ヘッド９の噴出口８をパイプ22と同方向に開口してなる請求項１記載の液体噴出器。
【請求項４】
容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒と、上記噴出ヘッド周壁14b とを、上記噴出ヘッド周壁14b が上記ガイド筒12に対して二方向での嵌合が可能な如くそれぞれ横断面相似形状に形成するとともに、上記ガイド筒12と噴出ヘッド周壁14b との対向面にそれぞれ縦凹溝20と縦突条21とからなる位置決め手段を設けてなることを特徴とする液体噴出器。
【請求項５】
上記ガイド筒12が横断面楕円形状をなすとともに、上記噴出ヘッド周壁14b が上記ガイド筒と相似形状の横断面楕円形状をなす請求項４記載の液体噴出器。
【請求項６】
上記ガイド筒12が横断面長方形状をなすとともに、上記噴出ヘッド周壁14b が上記ガイド筒と相似形状の横断面長方形状をなす請求項４記載の液体噴出器。
【請求項７】
上記ポンプ３下端を構成する吸い上げ用のパイプ22を弯曲させてその先端を容器体内の下端コーナーに開口させるとともに、上記噴出ヘッド９の噴出口８をパイプ22と同方向に開口してなる請求項４記載の液体噴出器。
【請求項８】
容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒と、上記噴出ヘッド周壁14b とを、上記噴出ヘッド周壁14b を上記ガイド筒12に対して二方向での嵌合が可能な如くそれぞれ横断面相似形状に形成するとともに、上記ステム13を上記ガイド筒12の偏心位置に突設してなることを特徴とする液体噴出器。
【請求項９】
上記ガイド筒12が横断面楕円形状をなすとともに、上記噴出ヘッド周壁14b が上記ガイド筒と相似形状の横断面楕円形状をなす請求項６記載の液体噴出器。
【請求項１０】
上記ポンプ３下端を構成する吸い上げ用のパイプ22を弯曲させてその先端を容器内の下端コーナーに開口させるとともに、上記噴出ヘッド９の噴出口８をパイプ22と同方向に開口してなる請求項８記載の液体噴出器。
【発明の詳細な説明】
【技術分野】
【０００１】
本発明は液体噴出器に関する。
【背景技術】
【０００２】
液体噴出器として、容器体にポンプを着脱自在に装着し、ポンプ上端の噴出ヘッドを上下動させることにより容器体内の液を吸い上げて噴出ヘッドの噴出口より噴出する如く構成されたものが種々提案されている。これらの中で、容器体口頸部外周に着脱可能に嵌合させた装着筒の上端よりフランジ状頂板を延設するとともに、頂板上よりガイド筒を起立した装着キャップと、ガイド筒内に上方付勢状態で押し下げ可能に突設したステムの上端に嵌着した嵌合縦筒内より噴出口に至る液流路を備えるとともに、ガイド筒外周に外周壁を押し下げ可能に垂下させた下端開口の筒状カバーで被覆してなる噴出ヘッドとを備えたものが提案されている（例えば、特許文献１参照）。
【０００３】
上記のような所謂縦型ポンプ付き容器は、販売時の展示状態において、容器体胴部外面に施した印刷模様等と対応させて噴出口を開口させておくことが必要とされる。つまり印刷模様等と噴出口開口方向とが統一されていないと複数容器が無秩序に展示されることとなって外見上好ましくない。
【０００４】
また、これらポンプは容器体に垂下したシリンダ下端より吸い上げ用のパイプを垂設し、このパイプ下部を下外方へ弯曲させてその下端を底壁外周へ位置させておく場合がある。この様な場合には容器体を傾けてその底壁外周部へ残液を集め、パイプ下端をその残液中に水没させた状態でポンプ操作し、残液を残さず噴出することができるが、容器上方からみた吸い上げパイプの弯曲突出方向とノズル突出方向と一致させることが望ましい。
【０００５】
上記縦型ポンプは予め一体的に組み付けておき、これを容器体へ装着させるから、その一体的組み付け状態において、吸い上げ用のパイプの弯曲方向と噴出口開口方向を同じにしておき、口頸部への装着筒螺合完了時において容器前方へ噴出口が開口するようにすれば、上記要望は満足されることとなる。尚、容器体前面と噴出口開口方向を一致させることは、例えば容器体口頸部と装着筒との螺合部の始端とリードとを予め一定に定めておくことで可能である。
【特許文献１】特開平９−５８７３１号公報
【発明の開示】
【発明が解決しようとする課題】
【０００６】
上記のように噴出口を容器体に対して所定方向へ向く如く組み付けることで、複数容器を統制的に展示させることができるが、噴出ヘッドは、消費者使用時に何らかの理由によりステムから抜け出すことがあり、この様な場合は所定方向へ向けてステムへの再嵌合が容易であることが望ましい。
【０００７】
本発明は上記した点に鑑みてなされたもので、消費者が噴出ヘッドを再嵌合する際は、上記所定の方向を向けてきわめて容易に再嵌合することができる液体噴出器を提案するものである。
【課題を解決するための手段】
【０００８】
本請求項１発明の液体噴出器は上記課題を解決するため、容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒12と、上記噴出ヘッド周壁14b とを、上記噴出ヘッド周壁14b が上記ガイド筒12に対して一方向での嵌合が可能な如くそれぞれ横断面相似形状に形成したことを特徴とする液体噴出器として構成した。
【０００９】
また、請求項２発明の液体噴出器は、上記ガイド筒12が横断面卵型をなすとともに、上記噴出ヘッド周壁14b が上記ガイド筒12と相似形状の横断面卵型をなす請求項１記載の液体噴出器として構成した。
【００１０】
また、請求項３発明の液体噴出器は、上記ポンプ３下端を構成する吸い上げ用のパイプ22を弯曲させてその先端を容器体内下端コーナーに開口させるとともに、上記噴出ヘッド９の噴出口８をパイプ22と同方向に開口してなる請求項１記載の液体噴出器として構成した。
【００１１】
また、請求項４発明の液体噴出器は、容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒12と、上記噴出ヘッド周壁14b とを、上記噴出ヘッド周壁14b が上記ガイド筒12に対して二方向での嵌合が可能な如くそれぞれ横断面相似形状に形成するとともに、上記ガイド筒12と噴出ヘッド周壁14b との対向面にそれぞれ縦凹溝20と縦突条21とからなる位置決め手段を設けてなることを特徴とする液体噴出器として構成した。
【００１２】
また、請求項５発明の液体噴出器は、上記ガイド筒12が横断面楕円形状をなすとともに、上記噴出ヘッド周壁14b が上記ガイド筒12と相似形状の横断面楕円形状をなす請求項３記載の液体噴出器。
【００１３】
また、請求項６発明の液体噴出器は、上記ガイド筒12のが横断面長方形状をなすとともに、上記噴出ヘッド周壁14b が上記ガイド筒12と相似形状の横断面長方形状をなす請求項４記載の液体噴出器として構成した。
【００１４】
また、請求項７発明の液体噴出器は、上記ポンプ３下端を構成する吸い上げ用のパイプ22を弯曲させてその先端を容器体内下端コーナーに開口させるとともに、上記噴出ヘッド９の噴出口８をパイプ22と同方向に開口してなる請求項４記載の液体噴出器として構成した。
【００１５】
また、請求項８発明の液体噴出器は、容器体２にポンプ３を装着した液体噴出器であって、ガイド筒12内に上方付勢状態で押し下げ可能にステム13を突設するとともに、ステム13の上端に下端開口の有頂筒状カバー14を有する噴出ヘッド９を嵌着し、且つ、上記ガイド筒12の外周又は内周に上記筒状カバー周壁14b を押し下げ可能に垂下させた液体噴出器に於いて、上記ガイド筒12と、上記噴出ヘッド周壁14b とを、上記噴出ヘッド周壁14b を上記ガイド筒12に対して二方向での嵌合が可能な如くそれぞれ横断面相似形状に形成するとともに、上記ステム13を上記ガイド筒12の偏心位置に突設してなることを特徴とする液体噴出器として構成した。
【００１６】
また、請求項９発明の液体噴出器は、上記ガイド筒12が横断面楕円形状をなすとともに、上記噴出ヘッド周壁14b が上記ガイド筒12と相似形状の横断面楕円形状をなす請求項８記載の液体噴出器として構成した。
【００１７】
また、請求項10発明の液体噴出器は、上記ポンプ３下端を構成する吸い上げ用のパイプ22を弯曲させてその先端を容器体内下端コーナーに開口させるとともに、上記噴出ヘッド９の噴出口８をパイプ22と同方向に開口してなる請求項８記載の液体噴出器として構成した。
【発明の効果】
【００１８】
以上説明した如く本発明の液体噴出器は、既述構成としたことにより、ステムより外れた噴出ヘッドを簡単に所定方向へ装着させることができるものである。また、その構造もガイド筒と噴出ヘッド周壁の形状や位置を変更するだけでよいため、製造上の煩雑さをともなわずに所期の目的を達成できるものである。従って、噴出ヘッドの噴出口と吸い上げ用のパイプを同方向に開口する如く構成することにより収納液を効率良く噴出することができる。
【発明を実施するための最良の形態】
【００１９】
以下、本発明の実施例の形態を図面を参照して説明する。
【００２０】
図面に示す如く本発明の液体噴出器１は、容器体２及びポンプ３を備えている。
【００２１】
容器体２は合成樹脂等により形成されたもので、口頸部を起立している。図示例に於いて容器体２は、筒状の胴部４上端より肩部５を介して口頸部６を起立して構成している。      
【００２２】
ポンプ３も合成樹脂等により形成されたもので、容器体口頸部６に嵌合させた装着キャップ７により容器体２に着脱可能に装着したものであり、上端に噴出口８付きの噴出ヘッド９を上方付勢状態で押し下げ可能に突設し、更に噴出ヘッド９を上下動させることにより容器体内の液を下端の吸い上げ用のパイプを介して吸い上げて噴出口８より噴出する如く構成した形態をなすものである。
【００２３】
上記装着キャップ７は、容器体口頸部６外周に着脱可能に嵌合させた装着筒10の上端よりフランジ状頂板11を延設するとともに、頂板11上面内周縁部よりガイド筒12を起立した形態のものが使用される。
【００２４】
また、噴出ヘッド９は、上記ガイド筒12内に上方付勢状態で押し下げ可能に突設したステム13の上端に嵌合筒10を嵌着して装着するとともに、上記ガイド筒12外周又は内周に周壁を押し下げ可能に垂下させた下端開口の有頂筒状カバー14を備え、更に、上記ステム13内より付設噴出口８に至る液流路ａを備えた形態をなすものが採用される。
【００２５】
図示例に於いて噴出ヘッド９は、頂壁14a 周縁部より周壁14b を垂下させたカバー14を有し、また、頂壁14a 裏面中央部より垂設した嵌合筒15の上部に基端を開口して周壁14b を貫通したノズル16を設け、ノズル16の先端を噴出口８として開口している。そして、嵌合筒15下部をステム13の上端部に嵌合させて噴出ヘッド９をステム13に嵌着し、ステム13内より嵌合筒15及びノズル16内を通り噴出口８に至る液流路ａを形成している。この際、周壁14b の下端部がガイド筒12の上端部外周に位置する如く垂下する。
【００２６】
上記噴出ヘッド９を上下動させることにより容器体内の液を吸い上げて噴出口８より噴出する機構に関しては、従来のこの種のポンプの形態を採用でき、例えば、装着キャップ７に上端を嵌着したシリンダ17を容器体２内に垂下する。図示例に於いてシリンダ17は外周上部より突設したフランジ18を装着キャップ７の装着筒10内周上端部に嵌着固定しており、そのフランジ18をパッキン19を介して口頸部６上に載置し、下端を容器体２内に垂下させている。シリンダ17の上端は上記ガイド筒12内に開口してその上端より上記ステム13を突出している。
【００２７】
また、図示しないが、シリンダ17内を摺動するピストンを上記ステムの下端部に連繋させるとともに、シリンダ17内下端部には吸込み弁を、ステム13内には吐出弁を設け、シリンダ下端より容器体内下部に吸い上げ用のパイプを垂下させる。そして、上記噴出ヘッド９の押し下げにより下降するピストンのシリンダ17内加圧によりシリンダ内液をステム13を介して噴出口８より噴出するとともに、コイルスプリング等の上方付勢力によりピストン，ステム，噴出ヘッドよりなる作動部材を上昇させて負圧化したシリンダ内にパイプを介して容器体内の液を吸い上げる。
【００２８】
本請求項１発明ではこの種の液体噴出器において、上記ガイド筒12と、上記噴出ヘッド周壁14b とを、上記噴出ヘッド周壁14b が上記ガイド筒12に対して一方向での嵌合が可能な如くそれぞれ横断面相似形状に形成している。即ち、ガイド筒12に対して噴出ヘッド９が所定の向きのみで嵌合する如く構成している。具体的には上記ガイド筒12と噴出ヘッド周壁とが横断面非円形であり、複数の同一繰り返し単位面で構成されていない周面をなすものが採用できる。更に具体的には、横断面卵型形状、横断面瓢箪型形状、横断面台形状その他上記要件を満たす横断面異形状等が採用できる。
【００２９】
図１及び図２はその一例を示し、ガイド筒12を横断面卵型に形成するとともに、噴出ヘッド周壁14b を上記ガイド筒12と相似形状の横断面卵型に形成している。また、ステム13の上端は小径部13a に形成して上記嵌合筒15を嵌合させている。この様に構成した液体噴出器１は、例えば噴出ヘッド９をステム13に装着する際に、ステム13に対し嵌合筒15を嵌合させた後、噴出ヘッド周壁14b をガイド筒12外周に位置合わせすれば自ずから噴出ヘッド９の向きが所定の方向となる。この際、図３に示す如く、ポンプ３下端を構成する吸い上げ用のパイプ22を弯曲させてその先端を容器体内下端コーナーに開口させるとともに、噴出ヘッド９の噴出口８をパイプ22と同方向に開口する如く構成することにより、残液の少ない効率の良い噴出が行える。尚、図中23はパイプの下端開口を示す。また、この様な構成は後述の各実施例においても同様に採用できる。
【００３０】
本請求項４の発明は、上記した液体噴出器に於いて、上記ガイド筒12と、上記噴出ヘッド周壁14b とを、上記噴出ヘッド周壁14b が上記ガイド筒12に対して二方向での嵌合が可能な如くそれぞれ横断面相似形状に形成している。即ち、ガイド筒12に対して噴出ヘッド９が所定の二方向のみで嵌合する如く構成しており、具体的には上記ガイド筒12と噴出ヘッド周壁とが、横断面非円形であり、前後部が点対称をなし且つ３以の同一繰り返し単位面で構成されていない周面をなすものが採用できる。更に具体的には、横断面楕円形状や、横断面長方形状，横断面菱型形状その他上記要件を満たす横断面異形状が採用できる。      
【００３１】
また、本請求項４発明では上記ガイド筒12と噴出ヘッド周壁14b との対向面にそれぞれ縦凹溝20と縦突条21とからなる位置決め手段を設けている。この位置決め手段としては上記ガイド筒12の任意位置に相対的な上下動が可能に設ければ良い。従って、ガイド筒12に縦凹溝20を、噴出ヘッド周壁14b に縦突条21を設けても、その逆であっても良い。
【００３２】
図４及び図５はその一例を示し、ガイド筒12を横断面楕円形状の筒状に形成するとともに、噴出ヘッド周壁14b はやや大きな横断面楕円状の筒状に形成している。また、上記位置決め手段として、ガイド筒12外面に縦凹溝20を設けるとともに、噴出ヘッド周壁14b 内面所定位置に縦突条21を突設している。この場合には縦凹溝20はガイド筒12上端よりその下部に至る部分に縦設されている。
【００３３】
この様に構成した液体噴出器１は、例えば噴出ヘッド９をステム13に装着する際に、ステム13に対し嵌合筒15を嵌合させた後、噴出ヘッド周壁14b をガイド筒12外周に位置合わせすれば、その位置決め手段の縦突条21及び縦凹溝20が合致した一方の嵌合位置で噴出ヘッド９の向きが所定の方向となる。従って、少なくとも二回の選択で間違いなく噴出ヘッド９の向きを所定の方向に装着することができる。
【００３４】
また、図６は上記ガイド筒12が横断面長方形状をなす筒状に形成するとともに、噴出ヘッド周壁14b をやや大きな横断面長方形状をなす筒状に形成した例を示している。また、上記位置決め手段として、ガイド筒12外面に縦凹溝20を設けるとともに、噴出ヘッド周壁14b 内面所定位置に縦突条21を突設している。その他の構成、作用は上記実施例と同様である。
【００３５】
本請求項８の発明は、上記した液体噴出器において、上記ガイド筒12と、上記噴出ヘッド周壁14b とを、上記噴出ヘッド周壁14b を上記ガイド筒12に対して二方向での嵌合が可能な如くそれぞれ横断面相似形状に形成するとともに、上記ステム13を上記ガイド筒12の偏心位置に突設している。
【００３６】
本発明において上記ガイド筒12と噴出ヘッド周壁14b の構成は上記請求項４の発明と同様である。また、ステム13をガイド筒12の偏心位置に突設することにより、噴出ヘッド９を嵌合できる二方向のうちの一方向に嵌合した際にはステム13と嵌合筒15とが嵌合しないため、この場合も少なくとも二回の選択で間違いなく噴出ヘッド９の向きを所定の方向に装着することができる。
【００３７】
図７及び図８はその一例を示し、ガイド筒12が横断面楕円筒状をなすとともに、噴出ヘッド周壁14b をやや大きな横断面楕円筒状に形成している。但しこの場合には、ガイド筒12を装着キャップ７上の後方へずらすことによりステム13をガイド筒12内の前方偏心位置に突設する如く構成している。
【図面の簡単な説明】
【００３８】
【図１】本発明の一実施例を示す一部切欠要部側面図である。
【図２】図１のＡ−Ａ線に沿った横断面図である。
【図３】同実施例の一部切欠側面図である。
【図４】本発明の他の実施例を示す一部切欠要部側面図である。
【図５】図４のＢ−Ｂ線に沿った横断面図である。
【図６】本発明の更に他の実施例を示す横断面図である。
【図７】本発明の更に他の実施例を示す一部切欠要部側面図である。
【図８】図６のＣ−Ｃ線に沿った横断面図である。
【符号の説明】
【００３９】
２…容器体，３…ポンプ，６…口頸部，７…装着キャップ，８…噴出口，
９…噴出ヘッド，10…装着筒，12…ガイド筒，13…ステム，14…カバー，
14b …周壁，20…縦凹溝，21…縦突条，ａ…液流路
【図１】
2005053517.tif 000003
【図２】
2005053517.tif 000004
【図３】
2005053517.tif 000005
【図４】
2005053517.tif 000006
【図５】
2005053517.tif 000007
【図６】
2005053517.tif 000008
【図７】
2005053517.tif 000009
【図８】
2005053517.tif 000010